(57)【要約】【課題】  ＣＤＭＡ通信にＨＳＤＰＡを適用した場合において、移動無線端末におけるスループットや通信品質を改善する移動通信システム、基地局装置、および移動無線端末を提供する。【解決手段】  基地局装置２は、ＨＳ−ＳＣＣＨのチャネライゼーション符号セットの空パターンをＨＳＤＰＡのダウンリンク送信予告に用いて移動無線端末１に送信する。移動無線端末１は、ＨＳＤＰＡのダウンリンク送信予告を基地局装置２から受信すると、ＤＰＣＨのＴＦＣ可否基準となる想定送信電力値に仮想的なＨＳ−ＤＰＣＣＨの電力を加える。【選択図】  図１
2005175945.tif 000002
【特許請求の範囲】
【請求項１】
移動無線端末と基地局装置とを有し、前記基地局装置から前記移動無線端末に対してＨＳＤＰＡ方式でデータ送信が行われる移動通信システムであって、
前記基地局装置は、
送信対象となるＨＳＤＰＡ方式のデータ送信前に、ＨＳＤＰＡ方式のデータの送信を予告する制御データを、ＨＳ−ＳＣＣＨにより前記移動無線端末へ送信し、
前記移動無線端末は、
前記制御データを前記基地局装置から受信すると、ＨＳ−ＤＰＣＣＨにおけるデータ送信のための電力供給を増加させることを特徴とする移動通信システム。
【請求項２】
移動無線端末と基地局装置とを有し、前記基地局装置から前記移動無線端末に対してＨＳＤＰＡ方式でデータ送信が行われる移動通信システムであって、
前記基地局装置は、
ＨＳＤＰＡ方式のデータの送信を予告する情報を含む制御データを生成する制御データ生成手段と、
前記受信データ送信前に、前記生成された制御データを前記移動無線端末へ送信する制御データ送信手段とを有し、
前記移動無線端末は、
前記基地局装置からのＨＳＤＰＡ方式によるデータ送信開始予告を示す情報を格納する予告情報格納手段と、
ＨＳ−ＳＣＣＨにより前記制御データを受信する制御データ受信手段と、
前記受信された制御データに含まれる、前記データ送信開始予告を示す情報を検出する予告情報検出手段と、
前記制御データに含まれる、前記データ送信開始予告情報が検出されると、ＨＳ−ＤＰＣＣＨにおけるデータ送信のための電力供給を増加させる電力供給制御手段と、
を有することを特徴とする移動通信システム。
【請求項３】
前記制御データ生成手段は、
前記データ送信を予告する情報として、ＨＳ−ＳＣＣＨのチャネライゼーション符号セットの空きパターンの１つを含む制御データを生成し、
前記電力供給制御手段は、
前記予告情報検出手段により、前記ＨＳ−ＳＣＣＨのチャネライゼーション符号セットの空きパターンの１つが検出されると、ＨＳ−ＤＰＣＣＨにおけるデータ送信のための電力供給を増加させることを特徴とする請求項２記載の移動通信システム。
【請求項４】
移動無線端末に対してＨＳＤＰＡ方式でデータ送信を行う基地局装置であって、
送信対象となるＨＳＤＰＡ方式のデータ送信前に、ＨＳＤＰＡ方式のデータの送信を予告する制御データを、ＨＳ−ＳＣＣＨにより前記移動無線端末へ送信することを特徴とする基地局装置。
【請求項５】
移動無線端末に対してＨＳＤＰＡ方式でデータ送信を行う基地局装置であって、
ＨＳＤＰＡ方式のデータの送信を予告する情報を含む制御データを生成する制御データ生成手段と、
前記受信データ送信前に、前記生成された制御データを前記移動無線端末へ送信する制御データ送信手段と、
を有することを特徴とする基地局装置。
【請求項６】
前記制御データ生成手段は、
前記データ送信を予告する情報として、ＨＳ−ＳＣＣＨのチャネライゼーション符号セットの空きパターンの１つを含む制御データを生成することを特徴とする請求項５記載の基地局装置。
【請求項７】
前記制御データ生成手段は、
ＨＳ−ＳＣＣＨのチャネライゼーション符号セットにおける１１１００００、１１１０００１、１１１００１０、１１１００１１、１１１０１００、１１１０１０１、１１１０１１０、１１１０１１１のうちのいずれか１つを含む制御データを生成することを特徴とする請求項６記載の基地局装置。
【請求項８】
基地局装置からＨＳＤＰＡ方式でデータを受信する移動無線端末であって、
ＨＳＤＰＡ方式によるデータ送信開始予告を示す情報を前記基地局装置から受信すると、ＨＳ−ＤＰＣＣＨにおけるデータ送信のための電力供給を増加させることを特徴とする移動無線端末。
【請求項９】
基地局装置からＨＳＤＰＡ方式でデータを受信する移動無線端末であって、
前記基地局装置からのＨＳＤＰＡ方式によるデータ送信開始予告を示す情報を格納する予告情報格納手段と、
ＨＳ−ＳＣＣＨにより制御データを受信する制御データ受信手段と、
前記受信された制御データに含まれる、前記データ送信開始予告を示す情報を検出する予告情報検出手段と、
前記制御データに含まれる、前記データ送信開始予告情報が検出されると、ＨＳ−ＤＰＣＣＨにおけるデータ送信のための電力供給を増加させる電力供給制御手段と、
を有することを特徴とする移動無線端末。
【請求項１０】
前記予告情報検出手段は、
前記データ送信予告情報として、ＨＳ−ＳＣＣＨのチャネライゼーション符号セットの空きパターンを検出することを特徴とする請求項９記載の移動無線端末。
【請求項１１】
前記予告情報手段は、
ＨＳ−ＳＣＣＨのチャネライゼーション符号セットにおける１１１００００、１１１０００１、１１１００１０、１１１００１１、１１１０１００、１１１０１０１、１１１０１１０、１１１０１１１のうちの少なくとも１つを、前記データ送信予告情報として格納することを特徴とする請求項１０記載の移動無線端末。
【発明の詳細な説明】
【技術分野】
【０００１】
本発明は、移動通信システム、基地局装置、および移動無線端末に関し、特に、ＨＳＤＰＡ方式のデータ伝送を行う移動通信システム、基地局装置、および移動無線端末に関する。
【背景技術】
【０００２】
現在標準化が進められている３ＧＰＰ（３ｒｄ  Ｇｅｎｅｒａｔｉｏｎ  Ｐａｒｔｎｅｒｓｈｉｐ  Ｐｒｏｊｅｃｔ）準拠のＷ−ＣＤＭＡ（Ｗｉｄｅ  ｂａｎｄ  Ｃｏｄｅ  Ｄｉｖｉｓｉｏｎ  Ｍｕｌｔｉｐｌｅ  Ａｃｃｅｓｓ）通信システムでは、高速なダウンリンクを実現する技術としてＨＳＤＰＡ（Ｈｉｇｈ  Ｓｐｅｅｄ  Ｄｏｗｎｌｉｎｋ  Ｐａｃｋｅｔ  Ａｃｃｅｓｓ）が提案されている。
【０００３】
ＨＳＤＰＡでは、基地局から移動無線端末に向け送信されるダウンリンクの物理チャネルとしてＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）と、ＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）とが追加されている。
ＨＳ−ＳＣＣＨは、対となるＨＳ−ＰＤＳＣＨの制御情報を送信するために使用され、ＨＳ−ＰＤＳＣＨは、ＨＳＤＰＡのパケットデータを送信するために使用される。
また、ＨＳ−ＰＤＳＣＨはサブフレーム単位で最大１５個のチャネライゼーション符号を用いることが可能であり、これをマルチコードと呼び、用いたチャネライゼーション符号の数をマルチコード数と呼ぶ。ここで、サブフレームとは、３スロットという時間単位で表されたＨＳＤＰＡの物理チャネルのフレーム長のことで、スロット（ｓｌｏｔ）とは、３ＧＰＰで規定された時間単位を意味する。
【０００４】
一方、移動無線端末が基地局に向け送信するアップリンクの物理チャネルとしてＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）が追加されており、ＨＳＤＰＡを利用した通信においては、ＨＳ−ＤＰＣＣＨとＤＰＣＨの２つの物理チャネルが、移動無線端末から基地局に向けパケットデータが送信される際に使用される。
ＨＳ−ＤＰＣＣＨは、対となるＨＳ−ＰＤＳＣＨで送信されてくるパケットデータを移動無線端末で受信できたかどうかを基地局に教えたり、伝送路状態を基地局に教えたりするために使用される。
このＨＳ−ＳＣＣＨとＨＳ−ＰＤＳＣＨとＨＳ−ＤＰＣＣＨの時間的関係は図９に示すとおりである。
【０００５】
現在のＷ−ＣＤＭＡ通信システムでは、移動無線端末の過去の想定送信電力値からアップリンクＤＰＣＨ（Ｄｅｄｉｃａｔｅｄ  Ｐｈｙｓｉｃａｌ  Ｃｈａｎｎｅｌ）の各ＴＦＣ（Ｔｒａｎｓｐｏｒｔ  Ｆｏｒｍａｔ  Ｃｏｍｂｉｎａｔｉｏｎ）に対する利用可否を決めている。ＴＦＣの決定基準のひとつとして、移動無線端末の過去の想定送信電力値により利用許可されたＴＦＣである必要がある。
ここで、ＴＦＣとは、各トランスポートチャネルの情報サイズを示すＴＦ（Ｔｒａｎｓｐｏｒｔ  Ｆｏｒｍａｔ）の複数トランスポートチャネル組み合わせパターンを示す。
また、想定送信電力値とは、移動無線端末が基地局へデータを送信するために必要と想定された電力値を示す。
この想定送信電力からＤＰＣＨのＴＦＣの利用可否を決める理由としては、一般的に送信しようとするデータの情報サイズに比例して電力が増やす必要があることに起因している。このため、過去の想定送信電力値が頻繁に最大送信電力を超えているような場合には、アップリンクＤＰＣＨの情報サイズを減らすことで電力を減らすといった処理を行っている。
【０００６】
３ＧＰＰの仕様手順が明記されている３ＧＰＰ  ＴＳ２５．３２１  ｖ５．５．０やＴＳ２５．１３３  ｖ５．７．０によると、規定された期間中の移動無線端末の想定送信電力値をもとにアップリンクＤＰＣＨの各ＴＦＣの利用可否を決定していて、この決定を反映したデータが実際に送信されるまでには数十ミリ秒以上かかることになっている。
【０００７】
上記のようなＨＳＤＰＡ方式を用いた従来技術の１つに、特許文献１が開示するところの移動通信システム、基地局及びそれに用いるパケット送信タイミング制御方法並びにそのプログラムがあった。
特許文献１では、基地局が、移動局へ送信するためのデータを基地局制御装置から受け取ると、ＤＰＣＨデータを用いて移動局に対してデータ送信の予告（送信タイミングの通知）を行っていた。
移動局は、データ送信の予告通知を受信すると、ソフトハンドオーバ中の他の基地局にデータ送信のタイミングを通知する。このことにより、上記の他の基地局は、他の移動局へＨＳ−ＰＤＳＣＨデータを送信しないようにしていた。
【０００８】
また、特許文献２が開示するところの移動通信システム及び通信制御方法並びにそれに用いる基地局、移動局では、移動局へ送信するデータが基地局に到着すると、ダウンリンクＤＰＣＨを用いて移動局にデータ送信の予告通知を行っていた。
移動局は、上記の予告通知を基地局から受信すると、基地局に品質情報を送信していた。
【特許文献１】特開２００２−３６９２３５号公報
【特許文献２】特開２００３−１９９１７３号公報
【発明の開示】
【発明が解決しようとする課題】
【０００９】
上述のとおり、ＨＳＤＰＡを利用した通信においてはアップリンクの物理チャネルにＨＳ−ＤＰＣＣＨが加わる。このＨＳ−ＤＰＣＣＨの追加によって想定送信電力値が許容されている最大送信電力を超えるような場合、実際の送信ではＨＳ−ＤＰＣＣＨとアップリンクＤＰＣＨ双方ともに割り当てられる電力が減らされ、最終的に最大送信電力を超えないように制御している。
これにより、アップリンクＤＰＣＨに割り当てられる電力が弱くなるため、利用不可となるＤＰＣＨのＴＦＣが増える可能性が高くなると予想される。
【００１０】
しかし、従来は、ＨＳ−ＤＰＣＣＨを使用して実際に移動無線端末からパケットデータが送信されてからでないと、ＨＳ−ＤＰＣＣＨの追加によって想定送信電力値が許容されている最大送信電力を超えるかどうかを判断することは不可能であった。
さらに、この判断に基づいてアップリンクＤＰＣＨのＴＦＣを利用不可と判定しても、これを反映したデータが実際に送信されるまでには数十ミリ秒以上かかるということがあり、ＴＦＣの利用可否を即座にＤＰＣＨに反映させることができなかった。
このＴＦＣを利用不可にすることができない期間、ＨＳＤＰＡのダウンリンクのＨＳ−ＰＤＳＣＨのパケットデータはバースト的に発生している可能性が高く、アップリンクではそのＨＳ−ＰＤＳＣＨのパケットデータ発生に応じて、ＨＳ−ＤＰＣＣＨを使用してデータが頻繁に送信されている可能性が高かった。
すなわち、アップリンクＤＰＣＨに割り当てる電力を減らす必要性のあるＨＳ−ＤＰＣＣＨを使用したデータ送信時には、ＤＰＣＨに割り当てる電力がまだ減らされていないといった動作になる虞があった。
この動作は、バースト的なパケットデータの一番先頭が送信されるＨＳ−ＰＤＳＣＨに対するＨＳ−ＤＰＣＣＨが送信され始めてから実際に反映されるまでの数十ミリ秒以上に渡って、アップリンクＤＰＣＨとＨＳ−ＤＰＣＣＨの双方ともに想定していた電力より低い電力が割り当てられるため、基地局での検出に失敗してしまうことに繋がっていた。
アップリンクＤＰＣＨによる送信データの検出失敗は通信品質の低下を招き、ＨＳ−ＤＰＣＣＨによるデータ送信の検出失敗は対となるダウンリンクのＨＳ−ＰＤＳＣＨによるデータの再送を招くため、ダウンリンクの著しいスループット低下といった問題を引き起こす可能性があった。
【００１１】
このように、従来の３ＧＰＰ準拠のＷ−ＣＤＭＡ通信システムにＨＳＤＰＡが加わった場合、ＨＳ−ＤＰＣＣＨにより想定送信電力が許容されている最大送信電力を超える場合が考えられ、利用不可となるアップリンクＤＰＣＨのＴＦＣが増加する。
しかし、従来ではこの利用不可の反映に数十ミリ秒以上かかっていたため、バースト的なパケットデータの一番先頭が送信されるＨＳ−ＰＤＳＣＨに対するＨＳ−ＤＰＣＣＨのデータが送信され始めてから反映までの数十ミリ秒以上の間に渡って、ダウンリンクのスループットやアップリンクの通信品質の低下を招くという問題点があった。
また、特許文献１および特許文献２記載の従来技術も、上記のようなＨＳ−ＤＰＣＣＨによるデータ送信のために割り当てられる電力の不足を起因とする通信品質の低下を抑制するための構成・機能等を有していないため、上記問題点を解決することが困難である可能性があった。
【００１２】
本発明は、上記問題点に鑑みてなされたものであり、ＣＤＭＡ通信にＨＳＤＰＡを適用した場合において、移動無線端末におけるスループットや通信品質を改善する移動通信システム、基地局装置、および移動無線端末を提供することを目的とする。
【課題を解決するための手段】
【００１３】
かかる目的を達成するため、本発明の第１の態様によれば、移動無線端末と基地局装置とを有し、前記基地局装置から前記移動無線端末に対してＨＳＤＰＡ方式でデータ送信が行われる移動通信システムであって、前記基地局装置は、送信対象となるＨＳＤＰＡ方式のデータ送信前に、ＨＳＤＰＡ方式のデータの送信を予告する制御データを、ＨＳ−ＳＣＣＨにより前記移動無線端末へ送信し、前記移動無線端末は、前記制御データを前記基地局装置から受信すると、ＨＳ−ＤＰＣＣＨにおけるデータ送信のための電力供給を増加させることを特徴とする。
【００１４】
また、本発明の第１の態様において、前記基地局装置は、ＨＳＤＰＡ方式のデータの送信を予告する情報を含む制御データを生成する制御データ生成手段と、前記受信データ送信前に、前記生成された制御データを前記移動無線端末へ送信する制御データ送信手段とを有し、前記移動無線端末は、前記基地局装置からのＨＳＤＰＡ方式によるデータ送信開始予告を示す情報を格納する予告情報格納手段と、ＨＳ−ＳＣＣＨにより前記制御データを受信する制御データ受信手段と、前記受信された制御データに含まれる、前記データ送信開始予告を示す情報を検出する予告情報検出手段と、前記制御データに含まれる、前記データ送信開始予告情報が検出されると、ＨＳ−ＤＰＣＣＨにおけるデータ送信のための電力供給を増加させる電力供給制御手段と、を有することを特徴とする。
【００１５】
また、本発明の第１の態様において、前記制御データ生成手段は、前記データ送信を予告する情報として、ＨＳ−ＳＣＣＨのチャネライゼーション符号セットの空きパターンの１つを含む制御データを生成し、前記電力供給制御手段は、前記予告情報検出手段により、前記ＨＳ−ＳＣＣＨのチャネライゼーション符号セットの空きパターンの１つが検出されると、ＨＳ−ＤＰＣＣＨにおけるデータ送信のための電力供給を増加させることを特徴とする。
【００１６】
また、本発明の第２の態様は、移動無線端末に対してＨＳＤＰＡ方式でデータ送信を行う基地局装置であって、送信対象となるＨＳＤＰＡ方式のデータ送信前に、ＨＳＤＰＡ方式のデータの送信を予告する制御データを、ＨＳ−ＳＣＣＨにより前記移動無線端末へ送信することを特徴とする。
【００１７】
また、本発明の第２の態様において、前記基地局装置は、ＨＳＤＰＡ方式のデータの送信を予告する情報を含む制御データを生成する制御データ生成手段と、前記受信データ送信前に、前記生成された制御データを前記移動無線端末へ送信する制御データ送信手段と、を有することを特徴とする。
【００１８】
また、本発明の第２の態様において、前記制御データ生成手段は、前記データ送信を予告する情報として、ＨＳ−ＳＣＣＨのチャネライゼーション符号セットの空きパターンの１つを含む制御データを生成することを特徴とする。
【００１９】
また、本発明の第２の態様において、前記制御データ生成手段は、ＨＳ−ＳＣＣＨのチャネライゼーション符号セットにおける１１１００００、１１１０００１、１１１００１０、１１１００１１、１１１０１００、１１１０１０１、１１１０１１０、１１１０１１１のうちのいずれか１つを含む制御データを生成することを特徴とする。
【００２０】
また、本発明の第３の態様は、基地局装置からＨＳＤＰＡ方式でデータを受信する移動無線端末であって、ＨＳＤＰＡ方式によるデータ送信開始予告を示す情報を前記基地局装置から受信すると、ＨＳ−ＤＰＣＣＨにおけるデータ送信のための電力供給を増加させることを特徴とする。
【００２１】
また、本発明の第３の態様において、前記移動無線端末は、前記基地局装置からのＨＳＤＰＡ方式によるデータ送信開始予告を示す情報を格納する予告情報格納手段と、ＨＳ−ＳＣＣＨにより制御データを受信する制御データ受信手段と、前記受信された制御データに含まれる、前記データ送信開始予告を示す情報を検出する予告情報検出手段と、前記制御データに含まれる、前記データ送信開始予告情報が検出されると、ＨＳ−ＤＰＣＣＨにおけるデータ送信のための電力供給を増加させる電力供給制御手段と、を有することを特徴とする。
【００２２】
また、本発明の第３の態様において、前記予告情報検出手段は、前記データ送信予告情報として、ＨＳ−ＳＣＣＨのチャネライゼーション符号セットの空きパターンを検出することを特徴とする。
【００２３】
また、本発明の第３の態様において、前記予告情報手段は、ＨＳ−ＳＣＣＨのチャネライゼーション符号セットにおける１１１００００、１１１０００１、１１１００１０、１１１００１１、１１１０１００、１１１０１０１、１１１０１１０、１１１０１１１のうちの少なくとも１つを、前記データ送信予告情報として格納することを特徴とする。
【発明の効果】
【００２４】
本発明によれば、ＣＤＭＡ通信にＨＳＤＰＡを適用した場合において、移動無線端末におけるスループットや通信品質を改善することが可能となる。
【発明を実施するための最良の形態】
【００２５】
（発明の特徴）
図１は、本発明の一実施形態における移動通信システムの構成を示す図である。図１に示されるように、移動通信システムは、移動無線端末１と、基地局装置２と、ＳＲＮＣ（Ｓｅｒｖｉｎｇ  Ｒａｄｉｏ  Ｎｅｔｗｏｒｋ  Ｃｏｎｔｒｏｌｌｅｒ）３とを有する。なお、図示されていないが、移動通信システムは、通常の移動通信システムと同様に、その他、交換局、その他の通信制御装置およびＨＬＲ（Ｈｏｍｅ  Ｌｏｃａｔｉｏｎ  Ｒｅｇｉｓｔｅｒ）なども有して構成されるものとする。また、移動通信システムの各構成要素の数は図に限定されないものとする。
【００２６】
図１に示されているように、移動通信システムにおいて、ＨＳＤＰＡを用いて通信を行う場合、基地局装置２は、ダウンリンクにおいて、ＨＳ−ＳＣＣＨおよびＨＳ−ＰＤＳＣＨにてデータを移動無線端末１に送信する。
移動無線端末１は、ＨＳ−ＳＣＣＨおよびＨＳ−ＰＤＳＣＨにてデータを基地局装置２から受信すると、ＨＳ−ＰＤＳＣＨのデータの受信状況などをＨＳ−ＤＰＣＣＨにて基地局装置２に送信する。
なお、図１では、ダウンリンクＤＰＣＨなどの他のチャネルについては省略されているが、実際は従来のＣＤＭＡ方式の規格に従って行われているものとする。
【００２７】
図２は、本発明の一実施形態におけるチャネライゼーション符号セットのパターンの一覧を示した図である。
図２に示されるように、ＨＳ−ＳＣＣＨ上で送信されるチャネライゼーション符号セットという７ビットで表現されるパラメータには、空きパターンがあることに着目し、本発明の実施形態では、その空きパターンに、基地局がＨＳＤＰＡのダウンリンクの送信を開始するという予告の意味を新たに持たせる。
本実施形態では、この予告を示すパラメータを以下、ｗａｒｎｉｎｇと呼ぶ。
図２に示されているように、チャネライゼーション符号セットでは、「１１１００００」、「１１１０００１」、「１１１００１０」、「１１１００１１」、「１１１０１００」、「１１１０１０１」、「１１１０１１０」、「１１１０１１１」の８パターンが、チャネライゼーション符号として使用されない空きパターンとなっている。
【００２８】
次に、このｗａｒｎｉｎｇを用いた基本的な手順について説明する。
１．基地局はＨＳＤＰＡのダウンリンクのＨＳ−ＰＤＳＣＨでパケットデータを送信する数十ミリ秒以上前に、ｗａｒｎｉｎｇパラメータをＨＳ−ＳＣＣＨで移動無線端末に送信する。
２．移動無線端末はこのパラメータを受け取ると、ＤＰＣＨのＴＦＣ利用可否を決定するための想定送信電力値に仮想的なＨＳ−ＤＰＣＣＨの電力値を足す。
上記１の手順は、移動無線端末があらかじめＨＳ−ＰＤＳＣＨの受信開始タイミングを知ることを可能にし、上記２の手順は、想定送信電力値にＨＳ−ＤＰＣＣＨの電力を足すタイミングを従来より早くすることを可能にしている。
これにより、移動無線端末はＨＳ−ＤＰＣＣＨに割り当てるための電力をＨＳ−ＤＰＣＣＨ送信開始時から確保できるため、問題であった期間のアップリンクＤＰＣＨとＨＳ−ＤＰＣＣＨの通信品質を改善することが可能となる。
【００２９】
（実施形態の構成）
図３は、本発明の一実施形態における基地局装置２の構成を示す図である。以下、図３を用いて、本実施形態における基地局装置２の構成および動作について説明する。
【００３０】
図３に示されるように、基地局装置２は、制御部２０１と、符号セット生成部２０２と、高速共有制御チャネル送信処理部２０３とを有して構成される。
【００３１】
制御部２０１は、基地局装置２全体を制御する部位であって、例えば、ＣＰＵと、そのＣＰＵが読み込んで処理を実行するためのプログラムの格納領域とからなるとしてもよい。
【００３２】
符号セット生成部２０２は、制御部２０１からの制御信号に基づいて、本来のチャネライゼーション符号セット（ｗａｒｎｉｎｇを除いたチャネライゼーション符号セット）またはｗａｒｎｉｎｇのチャネライゼーション符号セットを生成し、生成した符号セットを高速共有制御チャネル送信処理部２０３へ出力する。
また、符号セット生成部２０２は、符号グループインジケータパラメータ／符号セットインジケータパラメータ生成部２０２ａと、ｗａｒｎｉｎｇパラメータ生成部２０２ｂと、符号セット選択部２０２ｃとを有して構成される。
符号グループインジケータパラメータ／符号セットインジケータパラメータ生成部２０２ａは、本来のチャネライゼーション符号セットを生成する。
ｗａｒｎｉｎｇパラメータ生成部２０２ｂは、ｗａｒｎｉｎｇの符号セットを生成する。
符号セット選択部２０２ｃは、制御部２０１からの制御信号に基づいて、本来の符号セットおよびｗａｒｎｉｎｇの符号セットから選択して出力する。
【００３３】
なお、符号セット生成部２０２を設けることなく、符号セットの生成、選択および出力は、制御部２０１のＣＰＵによる処理により実現されるものとしてもよい。
【００３４】
高速共有制御チャネル送信処理部２０３は、符号セット生成部２０２により生成されたチャネライゼーション符号セットを含むＨＳＤＰＡパケット（制御データ）を生成してＨＳ−ＳＣＣＨで移動無線端末１へ送信する。
【００３５】
図４は、本発明の一実施形態における移動無線端末１の構成を示す図である。以下、図４を用いて、本実施形態における移動無線端末１の構成および動作について説明する。
【００３６】
図４に示されているように、移動無線端末１は、受信部１０と、送信部２０とを有して構成される。受信部１０は、基地局装置２からのデータの受信処理を行う部位である。また、送信部２０は、基地局装置２へのデータの送信処理を行う部位である。
【００３７】
受信部１０は、高速共有制御チャネルデコード部１１と、チャネライゼーション符号セット判別部１２と、受信処理部１３とを有する。
高速共有制御チャネルデコード部１１は、入力されたＨＳ−ＳＣＣＨのデータをデコードする。
チャネライゼーション符号セット判別部１２は、上述の８つの空きパターンのうち、少なくとも１つをｗａｒｎｉｎｇを示す符号セットとして予め保持している。チャネライゼーション符号セット判別部１２は、高速共有制御チャネルデコード部１１でデコードされたチャネライゼーション符号セットの入力を受け、入力された符号セットと保持している符号セットとを比較し、パターンが本来のチャネライゼーション符号セットを表しているのか、それともｗａｒｎｉｎｇを表しているのかを判別する。
受信処理部１３は、高速共有制御チャネルデコード部１１とチャネライゼーション符号セット判別部１２とを制御する。また、受信処理部１３は、高速共有制御チャネルデコード部１１からのチャネライゼーション符号セットの入力を受け、受信処理を行う。
【００３８】
送信部２０は、想定送信電力値測定部２１と、削除回復基準判定部２２と、送信処理部２３とを有して構成される。
想定送信電力値測定部２１は、ＴＦＣの利用可否の判別基準となる想定送信電力値を測定する。
削除回復基準判定部２２は、想定送信電力値測定部２１からの想定送信電力値の入力をもとに、ＴＦＣの利用可否を判定する。
送信処理部２３は、想定送信電力値測定部２１と削除回復基準判定部２２とを制御する。また、送信処理部２３は、削除回復基準判定部２２からの削除回復されたＴＦＣの入力を受け、送信処理を行う。
【００３９】
（実施形態の動作の説明）
本実施形態では、一例として、図２に示されているチャネライゼーション符号セットの空きパターンのうち、チャネライゼーション符号セットが「１１１００００」で表されるパターンにｗａｒｎｉｎｇパラメータを割り当てることとした。
図２には、７ビットで表現されるチャネライゼーション符号セットの各パターンの意味が示されている。
チャネライゼーション符号セットを構成する７ビットのうち、はじめの３ビットは符号グループインジケータといってＨＳ−ＰＤＳＣＨのマルチコード数グループを意味している。また、その７ビットの後ろの４ビットは符号オフセットインジケータといって、ＨＳ−ＰＤＳＣＨがどのチャネライゼーション符号を用いているかを示している。
【００４０】
ＨＳ−ＰＤＳＣＨの拡散因子は１６であることから１６種類のチャネライゼーション符号が存在しており、図５にそのチャネライゼーション符号と符号オフセットの関係が示されている。
マルチコードのような複数のチャネライゼーション符号を用いる場合は、符号オフセットで示されたチャネライゼーション符号から順に、符号オフセットが大きいチャネライゼーション符号を用いる。
【００４１】
想定送信電力値測定部２１は、基本的に送信処理部２３からの動作指示を受け、削除回復基準判定部２２に対しアップリンクの物理チャネルの想定電力値を出力するものであり、下記における本実施形態の動作とは独立に動作している。
例えば、送信処理部２３は、数フレーム（例えば１フレーム）ごとに、想定電力値の出力命令を想定送信電力値測定部２１に出力し、想定送信電力値測定部２１は、その出力命令が入力されるごとに、想定電力値の出力動作を行う。なお、想定電力値の出力命令の指示間隔は、例えば基地局装置２側で調整可能であるとしてもよい。
【００４２】
図６は、本発明の一実施形態における基地局装置２による動作の流れを示すフローチャートである。以下、図６に沿って、本実施形態における基地局装置２によるＨＳ−ＳＣＣＨのデータ送信動作について説明する。
【００４３】
まず、制御部２０１は、基地局装置２が、ＳＲＮＣ３から、ある移動無線端末１へ送信するＨＳＤＰＡパケットを受信したか否かを判断する（ステップＳ１０１）。
ＳＲＮＣ３からＨＳＤＰＡパケットを受信していないと判断された場合（ステップＳ１０１／Ｎｏ）、ステップＳ１０１の処理が繰り返される。
【００４４】
ＳＲＮＣ３からＨＳＤＰＡパケットを受信したと判断された場合（ステップＳ１０１／Ｙｅｓ）、制御部２０１は、その受信されたＨＳＤＰＡパケットが、移動無線端末１へ初期に送信されるＨＳ−ＰＤＳＣＨのデータであるか否か、すなわち受信されたＨＳＤＰＡパケットが、ＨＳＤＰＡによる移動無線端末１へのデータ通信の開始を示すものであるか否かを判断する（ステップＳ１０２）。
【００４５】
受信されたＨＳＤＰＡパケットが、ＨＳＤＰＡによる移動無線端末１へのデータ通信の開始を示すものではないと判断された場合（ステップＳ１０２／Ｎｏ）、その受信されたＨＳＤＰＡパケットの移動無線端末１への送信が、移動無線端末１に対する直前のＨＳＤＰＡパケット送信から数十ミリ秒以上間隔が空くか否かを判断する（ステップＳ１０３）。
【００４６】
その受信ＨＳＤＰＡパケットが、直前の送信から数十ミリ秒未満で送信されると判断された場合（ステップＳ１０３／Ｎｏ）、符号セット生成部２０２は、ＨＳＤＰＡパケットが示すＨＳ−ＰＤＳＣＨのデータに対する制御情報として、本来のチャネライゼーション符号セットを含むＨＳ−ＳＣＣＨのデータを生成する。
高速共有制御チャネル送信処理部２０３は、その本来のチャネライゼーション符号セットを含むＨＳ−ＳＣＣＨのデータを移動無線端末１へ送信する（ステップＳ１０４）。
ＨＳ−ＳＣＣＨのデータ送信後、基地局装置２は、ＳＲＮＣ３から受信したＨＳＤＰＡパケットを、ＨＳ−ＰＤＳＣＨで移動無線端末１へ送信する（ステップＳ１０６）。
【００４７】
一方、受信されたＨＳＤＰＡパケットが、ＨＳＤＰＡによる移動無線端末１へのデータ通信の開始を示すものであると判断された場合（ステップＳ１０２／Ｙｅｓ）、または、受信ＨＳＤＰＡパケットが、直前の送信から数十ミリ秒以上間隔をおいて送信されると判断された場合（ステップＳ１０３／Ｙｅｓ）、符号セット生成部２０２は、ＨＳＤＰＡパケットが示すＨＳ−ＰＤＳＣＨのデータに対する制御情報として、ｗａｒｎｉｎｇのチャネライゼーション符号セットを含むＨＳ−ＳＣＣＨのデータを生成する。
高速共有制御チャネル送信処理部２０３は、ｗａｒｎｉｎｇのチャネライゼーション符号セットを含むＨＳ−ＳＣＣＨのデータを移動無線端末１へ送信する（ステップＳ１０５）。
その後、同様に、基地局装置２は、ＳＲＮＣ３から受信したＨＳＤＰＡパケットを、ＨＳ−ＰＤＳＣＨで移動無線端末１へ送信する（ステップＳ１０６）。
【００４８】
図７および図８は、本発明の一実施形態における移動無線端末１による動作の流れを示すフローチャートである。
図９は、本発明の一実施形態の移動無線端末１における、基地局装置２からのＨＳ−ＳＣＣＨデータおよびＨＳ−ＰＤＳＣＨデータの受信タイミングと、基地局装置２へのＨＳ−ＤＰＣＣＨデータの送信タイミングとを示す図である。
以下、図９を用い、図７および図８に沿って、本実施形態における移動無線端末１によるデータ送信動作について説明する。
【００４９】
図９において、（１）は移動無線端末１により受信されるＨＳ−ＳＣＣＨのデータ（３ｓｌｏｔ）を示す。
（２）は、（１）のＨＳ−ＳＣＣＨデータにより制御されるＨＳ−ＰＤＳＣＨデータ（３ｓｌｏｔ）を示す。図９に示されるように、基地局装置２は、（１）のＨＳ−ＳＣＣＨデータ受信開始から２ｓｌｏｔ後に、（２）のＨＳ−ＰＤＳＣＨデータの受信を開始する。
（３）は、受信された（２）のＨＳ−ＰＤＳＣＨデータに対応して送信されるＨＳ−ＤＰＣＣＨデータ（３ｓｌｏｔ）を示す。図９に示されるように、基地局装置２は、（２）のＨＳ−ＰＤＳＣＨデータ受信開始から約７．５ｓｌｏｔ後に、（３）のＨＳ−ＤＰＣＣＨデータの送信を開始する。
【００５０】
まず、受信部１０にてＨＳ−ＳＣＣＨのデータを基地局装置２から受信すると（ステップＳ２０１／Ｙｅｓ）、高速共有制御チャネルデコード部１１は、入力されるＨＳ−ＳＣＣＨのデータをデコードする（ステップＳ２０２）。
【００５１】
次に、高速共有制御チャネルデコード部１１は、そのデコードしたＨＳ−ＳＣＣＨのデータが移動無線端末１向けのものであるか否かを判断する（ステップＳ２０３）。
デコードされたＨＳ−ＳＣＣＨのデータが移動無線端末１に対して送信されたものではないと判断された場合（ステップＳ２０３／Ｎｏ）、移動無線端末１は、動作を終了する。
【００５２】
デコードされたＨＳ−ＳＣＣＨのデータが移動無線端末１に対して送信されたものであると判断された場合（ステップＳ２０３／Ｙｅｓ）、高速共有制御チャネルデコード部１１は、デコードしたデータ（チャネライゼーション符号セット）をチャネライゼーション符号セット判別部１２に出力する（ステップＳ２０４）。
【００５３】
次に、チャネライゼーション符号セット判別部１２は、高速共有制御チャネルデコード部１１から入力されたチャネライゼーション符号セットがｗａｒｎｉｎｇを示しているかどうか識別する（ステップＳ２０５）。
【００５４】
チャネライゼーション符号セットがｗａｒｎｉｎｇを示していると判断された場合（ステップＳ２０５／Ｙｅｓ）、チャネライゼーション符号セット判別部１２は、チャネライゼーション符号セットがｗａｒｎｉｎｇを示していた旨の情報を保持する（ステップＳ２０６）。
次に、チャネライゼーション符号セット判別部１２は、想定送信電力値測定部２１に対しＨＳ−ＤＰＣＣＨ電力追加命令コマンドを出力する（ステップＳ２０７）。
【００５５】
想定送信電力値測定部２１は、ＨＳ−ＤＰＣＣＨ電力追加命令コマンドの入力を受けると、送信処理部２３から想定電力値の出力命令が入力されたタイミングから、実際の想定送信電力値に仮想的なＨＳ−ＤＰＣＣＨのデータ送信に用いられる電力分を足す（ステップＳ２０８）。
【００５６】
そして、想定送信電力値測定部２１は、想定送信電力値の出力命令が送信処理部２３から自身に入力されたか否かを判断する（ステップＳ２０９）。
想定送信電力値の出力命令が入力されていないと判断された場合（ステップＳ２０９／Ｎｏ）、想定送信電力値測定部２１は、ステップＳ２０９の処理を繰り返す。
【００５７】
想定送信電力値の出力命令が入力されたと判断された場合（ステップＳ２０９／Ｙｅｓ）、想定送信電力値測定部２１は、送信処理部２３により指示された動作タイミングで、その想定送信電力値を削除回復基準判定部２２に出力する（ステップＳ２１０）。
また、想定送信電力値測定部２１は、ＨＳ−ＤＰＣＣＨ電力追加命令コマンドを解除するＨＳ−ＤＰＣＣＨ電力追加解除命令コマンドの入力を受けるまで仮想的なＨＳ−ＤＰＣＣＨの電力を実際の想定送信電力値に足し続ける。
【００５８】
削除回復基準判定部２２は、想定送信電力値測定部２１から想定送信電力値の入力を受けると、アップリンクＤＰＣＨの各ＴＦＣの中で新たに利用不可と判定されるＴＦＣを判定し、あるいは、それまで利用不可であったが新たに利用可能と判定されるＴＦＣを判定し、その判定したＴＦＣの情報を送信処理部２３に出力する（ステップＳ２１１）。
以上で、移動無線端末１は動作を終了する。
【００５９】
チャネライゼーション符号セットがｗａｒｎｉｎｇを示していない、すなわち本来のチャネライゼーション符号セットであると判断された場合（ステップＳ２０５／Ｎｏ）、チャネライゼーション符号セット判別部１２は、チャネライゼーション符号セットが本来のチャネライゼーション符号セットである旨の情報を保持する（ステップＳ２１２）。
【００６０】
次に、チャネライゼーション符号セット判別部１２は、自身が保持している情報を参照し、前回自身に入力されたチャネライゼーション符号セットがｗａｒｎｉｎｇを示しているか否かを判断する（ステップＳ２１３）。
チャネライゼーション符号セット判別部１２は、前回自身に入力されたチャネライゼーション符号セットが本来のチャネライゼーション符号セットであると判断した場合（ステップＳ２１３／Ｎｏ）、移動無線端末１は動作を終了する。
【００６１】
チャネライゼーション符号セット判別部１２は、前回自身に入力されたチャネライゼーション符号セットがｗａｒｎｉｎｇを示したものであると判断した場合（ステップＳ２１３／Ｙｅｓ）、想定送信電力値測定部２１に対しＨＳ−ＤＰＣＣＨ電力追加解除命令コマンドを出力する（ステップＳ２１４）。
【００６２】
想定送信電力値測定部２１は、ＨＳ−ＤＰＣＣＨ電力追加削除命令コマンドの入力を受けると、送信処理部２３から想定電力値の出力命令が入力されたタイミングから、仮想的なＨＳ−ＤＰＣＣＨの電力付加を停止する（ステップＳ２１５）。
【００６３】
そして、想定送信電力値測定部２１は、想定送信電力値の出力命令が送信処理部２３から自身に入力されたか否かを判断する（ステップＳ２１６）。
想定送信電力値の出力命令が入力されていないと判断された場合（ステップＳ２１６／Ｎｏ）、想定送信電力値測定部２１は、ステップＳ２１６の処理を繰り返す。
【００６４】
想定送信電力値の出力命令が入力されたと判断された場合（ステップＳ２１６／Ｙｅｓ）、想定送信電力値測定部２１は、送信処理部２３により指示された動作タイミングで、実際の想定送信電力値を削除回復基準判定部２２に出力する（ステップＳ２１７）。
【００６５】
削除基準判定部２２は、想定送信電力値測定部２１から想定送信電力値の入力を受けると、ＤＰＣＨの各ＴＦＣの中で新たに利用不可と判定されるＴＦＣを判定し、あるいは、それまで利用不可であったが新たに利用可能と判定されるＴＦＣを判定し、その判定したＴＦＣの情報を送信処理部２３に出力する（ステップＳ２１８）。
以上で、移動無線端末１は動作を終了する。
なお、仮想的なＨＳ−ＤＰＣＣＨの電力を想定送信電力値に足す方法に関しては、本実施形態では特に限定しないものとする。
【００６６】
以上説明したように、本実施形態によれば、基地局装置２は、ＨＳ−ＳＣＣＨのチャネライゼーション符号セットの空パターンをＨＳＤＰＡのダウンリンク送信予告に用いて移動無線端末１に送信する。
移動無線端末１は、ＨＳＤＰＡのダウンリンク送信予告を基地局装置２から受信すると、ＤＰＣＨのＴＦＣ可否基準となる想定送信電力値に仮想的なＨＳ−ＤＰＣＣＨの電力を加える。
このことにより、移動無線端末は、予めＨＳ−ＤＰＣＣＨの使用に向けた電力の確保ができるため、基地局装置２は、従来問題であったＨＳＤＰＡの最初のパケットデータ受信後から数十ミリ秒以上に期間に渡って移動無線端末１から送信されたアップリンクＤＰＣＨおよびＨＳ−ＤＰＣＣＨのデータを確実にデコードすることができ、ＨＳＤＰＡのダウンリンクのスループットを向上させることが可能となる。
【００６７】
また、本実施形態における各処理は、移動無線端末１、基地局装置２またはＳＲＮＣ３が有するコンピュータプログラムにより実行されるとしてもよく、上記のプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【００６８】
なお、上記の実施形態は本発明の好適な実施の一例であり、本発明の実施形態は、これに限定されるものではなく、本発明の要旨を逸脱しない範囲において種々変形して実施することが可能となる。
【図面の簡単な説明】
【００６９】
【図１】本発明の一実施形態における移動通信システムの構成を示す図である。
【図２】本発明の一実施形態におけるチャネライゼーション符号セットのパターンの一覧を示した図である。
【図３】本発明の一実施形態における基地局装置の構成を示す図である。
【図４】本発明の一実施形態における移動無線端末の構成を示す図である。
【図５】本発明の一実施形態におけるチャネライゼーション符号と符号オフセットの関係が示されている。
【図６】本発明の一実施形態における基地局装置による動作の流れを示すフローチャートである。
【図７】本発明の一実施形態における移動無線端末による動作の流れを示すフローチャートである。
【図８】本発明の一実施形態における移動無線端末による動作の流れを示すフローチャートである。
【図９】本発明の一実施形態の移動無線端末１におけるデータの送受信タイミングを示す図である。
【符号の説明】
【００７０】
１    移動無線端末
２    基地局装置
３    ＳＲＮＣ
１０    受信部
１１    高速共有制御チャネルデコード部
１２    チャネライゼーション符号セット判別部
１３    受信処理部
２０    送信部
２１    想定送信電力値測定部
２２    削除回復基準判定部
２３    送信処理部
２０１    制御部
２０２    符号セット生成部
２０２ａ    符号グループインジケータパラメータ／符号セットインジケータパラメータ生成部
２０２ｂ    ｗａｒｎｉｎｇパラメータ生成部
２０２ｃ    符号セット選択部
２０３    高速共有制御チャネル送信処理部
【図１】
2005175945.tif 000003
【図２】
2005175945.tif 000004
【図３】
2005175945.tif 000005
【図４】
2005175945.tif 000006
【図５】
2005175945.tif 000007
【図６】
2005175945.tif 000008
【図７】
2005175945.tif 000009
【図８】
2005175945.tif 000010
【図９】
2005175945.tif 000011